(57)【要約】      （修正有）【課題】工具や道具を収納するホルダーを使用者のベルトに着脱可能に吊り下げるためのホルダーのベルト装着構造を提供する。【解決手段】ホルダー本体１０の背壁部１１の上方に延びる厚肉の折返し片３と、該折返し片の延長方向に延びる薄肉の帯状体５と、ホルダー１の背壁部１１の上部に固定された固定枠７と、前記固定枠からベルトの縦幅以上の長さで下方に離間した位置に取り付けられて前記帯状体を折り返して中途位置で締め付けることができる締付具と、前記帯状体の内面側で、帯状体５の基端側と先端側に設けられた一対の係合構成部とからなって、開閉可能な吊り下げ部２が形成され、着用されているベルトを外すことなく着脱可能に装着することができるホルダー１のベルト装着構造。【選択図】図４
0003189579.tif 000002
【実用新案登録請求の範囲】
【請求項１】
使用者用ベルトに着脱可能に装着する吊下げ部をホルダー本体の背壁部に設けたホルダーのベルト装着構造において、
吊下げ部が、ホルダー本体の背壁部から上方に延びて折り返される厚肉の折返し片と、
該折返し片の延長方向に延びると共に肉厚が折返し片より薄く設定された長尺の帯状体と、
前記ホルダーの背壁部の上部に固定されて前記帯状体の厚み以上で折返し片の厚みより短い長さに設定された挿通孔を有し、前記折返し片の先端が上端の縁部に衝合可能な固定枠と、
前記ホルダーの背壁部で前記固定枠から前記ベルトの縦幅以上の長さで下方に離間した位置に取り付けられて前記帯状体を折り返して長さ方向の中途位置で締め付けることができる締付具と、
前記帯状体の内面側で、帯状体の基端側と先端側に設けられた一対の係合構成部とからなって、
帯状体が、前記固定枠と締付具を通ると共に、締付具で折り返されて重なり合う基端側と先端側が一対の係合構成部によって着脱可能に係合されてなることを特徴とするホルダーのベルト装着構造。
【請求項２】
背壁部が平坦面からなっており、一対の係合構成部が面ファスナーからなっていることを特徴とする請求項１に記載のホルダーのベルト装着構造。
【請求項３】
締付具が上下一対の矩形枠状のリングからなってホルダーの背壁部に枢着しており、一対の係合構成部が面ファスナーからなっていることを特徴とする請求項１または２に記載のホルダーのベルト装着構造。
【考案の詳細な説明】
【技術分野】
【０００１】
本考案は、工具や道具を収納するホルダーを使用者のベルトに着脱可能に吊り下げるためのホルダーのベルト装着構造に関するものである。
【背景技術】
【０００２】
従来、工具や道具を収納するホルダーを使用者のベルトに装着するために、例えば特開２００９−２４８２５４号の腰袋や実用新案登録第３１０６３２３号のベルト装着具のように、外袋体の外面にベルト挿通用の吊下げ部を固着しており、該吊下げ部の挿通孔内に作業者の腰ベルトを挿入していた。
そのため、ホルダーを腰ベルトから外す場合に、一旦、腰ベルトを前記吊下げ部から抜き取る必要があり、前記腰ベルトに多数のホルダーを装着している場合には、それらも同時に取り外す必要があるため、ホルダーの着脱は手間のかかる作業となっていた。
【先行技術文献】
【特許文献】
【０００３】
【特許文献１】特開２００９−２４８２５４号公報
【特許文献２】実用新案登録第３１０６３２３号公報
【考案の概要】
【考案が解決しようとする課題】
【０００４】
この考案が解決しようとする課題は、ベルトを着用したままで外すことなく、吊下げ部を開閉してホルダーを単体でベルトから着脱することができるホルダーのベルト装着構造を提供することにある。
【課題を解決するための手段】
【０００５】
本考案は、上記課題を解決するために、請求項１の考案では、
使用者用ベルトに着脱可能に装着する吊下げ部をホルダー本体の背壁部に設けたホルダーのベルト装着構造において、
吊下げ部が、ホルダー本体の背壁部から上方に延びて折り返される厚肉の折返し片と、
該折返し片の延長方向に延びると共に肉厚が折返し片より薄く設定された長尺の帯状体と、
前記ホルダーの背壁部の上部に固定されて前記帯状体の厚み以上で折返し片の厚みより短い長さに設定された挿通孔を有し、前記折返し片の先端が上端の縁部に衝合可能な固定枠と、
前記ホルダーの背壁部で前記固定枠から前記ベルトの縦幅以上の長さで下方に離間した位置に取り付けられて前記帯状体を折り返して長さ方向の中途位置で締め付けることができる締付具と、
前記帯状体の内面側で、帯状体の基端側と先端側に設けられた一対の係合構成部とからなって、
帯状体が、前記固定枠と締付具を通ると共に、締付具で折り返されて重なり合う基端側と先端側が一対の係合構成部によって着脱可能に係合されてなることを特徴とする。
請求項２の考案では、
前記背壁部が平坦面からなっており、一対の係合構成部が面ファスナーからなっていることを特徴とする。
請求項３の考案では、
前記締付具が上下一対の矩形枠状のリングからなってホルダーの背壁部に枢着しており、一対の係合構成部が面ファスナーからなっていることを特徴とする。
【考案の効果】
【０００６】
本考案のホルダーのベルト装着構造では、使用者のベルトを着用したままで、帯状体をベルトの下から上に通して折り返すことで、折返し片が固定枠と衝合して上部が位置決めされ、帯状体は中途位置が締付具により締め付けられて下端が位置決めされ、先端は帯状体の基端側と上下に重なって面ファスナーなどの一対の係合構成部により接合されて吊下げ部が完成し、ホルダーを前記使用者のベルトに装着することができる。
ホルダーをベルトから取り外す場合には、帯状体を前記手順と逆の操作で外すことによりベルトを外すことなくホルダーだけを取り外すことができる。
吊下げ部はホルダー本体の背壁面と帯状体によって形成され、その間の隙間にベルトが通されているので、ベルトは着用したままでホルダーを装着でき、取り外す際にも、帯状体を解くだけでホルダーを着用したままのベルトから取り外すことが可能となり利便性が高い。
また、ホルダーは使用者の身体に接する部分が嵩張らないので、使用感が向上し、かつ簡単な構成なので耐久性にも優れる。
【図面の簡単な説明】
【０００７】
【図１】帯状体及び折返し片を展開した状態のホルダーの背壁部から見た斜視図である。
【図２】帯状体及び折返し片を折り返し、帯状体を枠部や締付具に通した吊り下げ体の中途段階の状態を示す斜視図である。
【図３】吊り下げ体の完成時の斜視図である。
【図４】同側面図である。
【図５】ホルダーに一対の帯状体を設けた場合の斜視図である。
【考案を実施するための形態】
【０００８】
ホルダー本体に折返し片と帯状体を設け、ホルダー本体の背面側に折り返して使用者の着用しているベルトをホルダー本体の背壁部と帯状体とで挟むと共に、帯状体を着脱可能に連結してホルダーの吊り下げ体とすることで、着用しているベルトにホルダーを着脱可能に装着することを実現した。
【実施例１】
【０００９】
以下に、この考案のホルダーのベルト装着構造の好適実施例について図面を参照しながら説明する。
図１から図４に示すように、ホルダー１は、工具類を収納するホルダー本体１０の背面側に、使用者が着用するベルト２０へ着脱可能に装着する吊下げ部２を形成する構成からなっている。
【００１０】
ここで、ホルダー本体１０は、工具や各種道具類を取り出し可能に収納する構造であればよく、本実施例では腰袋を例に説明するが、その形状や構成は特に限定されるものではなく、複数の収納部を有するものでも、上部に開閉用の蓋を有するものでもよい。
吊下げ部２は、折返し片３と帯状体５とを備えており、前記ベルト２０に着脱しうるように開閉するもので、ホルダー本体１０の背壁部１１は平坦にベルト２０の外面と接するので平坦に形成されていることが好ましい。
【００１１】
折返し片３は、ホルダー本体１０の背壁部１１から上方に延びて折り返される厚肉の片からなり、図示例ではホルダー本体１０の背壁部１１をそのまま上方に延出した構成となっているが、この考案では、別体の折返し片３をホルダー本体１０の背壁部１１に固着するものでもよい。
上記折返し片３は、肉厚が厚い厚肉に設定されており、後述の固定枠７の挿通孔７ａ内に入り込めない厚みに設定されている。
【００１２】
前記折返し片部３の外側には、折返し片部３の延長方向に延びると共に、肉厚が薄く設定されて固定枠７の挿通孔７ａを通り抜ける長尺の帯状体５が固着されている。
この帯状体５を、前記固定枠７の挿通孔７ａ内に挿入させると、図２に示すように、折返し片３の先端３ａは固定枠７の上枠部７ｂで衝合する。
【００１３】
ホルダー本体１０の背壁部１１には、その上部に前記帯状体５のみを挿通可能とする幅狭な隙間に設定された固定枠７が固定されている。
図示例で、固定枠７は、略コ字状の枠を背壁部１１上に突設して背壁部１１に固定されているが、矩形固定枠そのものを背壁部１１上に固定するものでもよい。
【００１４】
前記固定枠７の挿通孔７ａの高さ方向の幅は、前述のように帯状体５が挿通可能で折返し片３は挿入しえない幅に設定されている。
上記固定枠７からベルト２０の縦幅に対応した長さ以上に下方に離間した位置に、前記帯状体５を折り返して締め付けることができる締付具が取り付けられている。
【００１５】
上記締付具は、本実施例の場合、上下一対の矩形枠状のリング８、９からなって、ホルダー本体１０の背壁部１１に枢着されている。
図示例では、上段のリング８と下段のリング９とは、近接位置で上下に平行に並んで配置されており、１枚のシートＳでリング８、９の下枠を覆って周縁を背壁部１１に逢着されているので、上下一対のリング８，９は僅かに上下に移動可能な遊びを設けた状態で背壁部１１に枢着されている、
【００１６】
上記構成からなっているので、使用者が着用しているベルト２０にホルダー１を装着する際には、まず、ホルダー本体１０の背壁部１１の固定枠７と緊締具８、９の間の平坦な面をベルト２０の外面に沿わせる（図１参照）。
次いで、図２に示すように、折返し片３をホルダー本体１０の外側（背壁部側）に折り返し、帯状体５を下向きにして固定枠７の挿通孔７ａ内に通して下方に引き出し、更に前記緊締具の上下のリング８、９の挿通孔８ａ、９ａ内にも通して下方へ引き出す（図２参照）。
【００１７】
帯状体５を下向きに引っ張ると、折返し片３の先端３ａが固定枠７の挿通孔７ａを通ることができず、固定枠７の上縁部７ａと衝合して掛け止められ、帯状体５の上端の位置決めが行われる。
次に、前記上下のリング８、９の挿通孔８ａ，９ａを通った帯状体５の先端側を下向きに引っ張りながら下段のリング９の上枠部９ｂで引っ張りながら上向きに折り返し、上段のリング８の挿通孔８ａ内に戻して上方へ引っ張る。
【００１８】
これにより上下にリング８，９により帯状体５が折り返されて中間位置が締め付けられることで帯状体５の下部の位置決めを行うことができる。
そして、上段リング８の挿通孔８ａから上方に引き出された上側（外側）の帯状体５の先端は、固定枠７から下方に引き出された下側（内側）の帯状体５の基端側と上下に重なり合う。
【００１９】
この重なり合う個所には、係合部の一例として、雌雄係合する一対の面ファスナー６ａ、６ｂがそれぞれ固着されており、両者６ａ、６ｂを重ね合わせて着脱可能に係合することができる。
即ち、図１で点線で示すように、面ファスナー６ａ、６ｂは帯状体５の内面側で、折返し片３を超えて延びる基端側と、先端側にそれぞれ固着されている。
本実施例では、面ファスナーを用いたが、面ファスナーに代えて凹凸係合する一対のスナップファスナーを用いてもよく、その他、係脱可能な一対の係合部材を用いてもよい。
【００２０】
これにより、帯状体５をベルト２０の内側に通して、固定枠７やリング状の締付具８、９に通して折り返し、重ね合わせた部分を面ファスナー６ａ，６ｂで係合することでベルト２０への吊り下げ部２が形成されるので、図４に示すように吊り下げ部２は嵩張ることがない。
また、ホルダー本体１０を取り外す際には、前記帯状体５の先端の面ファスナー６ａ，６ｂの係合を解き、帯状体５を前記手順と逆に緊締具となる上下のリング８、９を緩めて帯状体５を抜き取ることで、ベルト２０との拘束が解かれてフリーとなり、ホルダー本体１０をベルト２０から容易に取り外すことができる。
【実施例２】
【００２１】
図５に示すホルダー１は、横幅が広いホルダー本体１０の場合であって、実施例１と同様に、ホルダー本体１０の背壁部１１の上部に一連に折返し片３が連接されている。
そして、該折返し片３には、左右に複数（図示例では２つ）の帯状体５が設けられている。
そして、ホルダー本体１０の背壁部１１には、上記帯状体５の数に合わせて、整合する位置にそれぞれ固定枠７と、緊締具（上下一対のリング８、８）とが形成されている。
【００２２】
本実施例では、２つの帯状体５を別々に吊下げ部２として形成する点で相違するが、その他の構成は前記実施例１と同様であるので、同一構成には同一の符号を付してその説明を省略する。
上記実施例では、工具収納用の腰袋を例に説明したが、この考案では、その他の道具類を収納するホルダーであってもよい。
その他、この考案は上記構成に限定されるものではなく、この考案の要旨を変更しない範囲で種々設計変更しうること勿論である。
【符号の説明】
【００２３】
１    ホルダー
２    吊下げ部
３    折返し片
５    帯状体
６ａ、６ｂ  雌雄一対の面ファスナー
７    固定枠
８    上段のリング
９    下段のリング
Ｓ    枢着用カバー
１０    ホルダー本体
１１    背壁部
【図１】
0003189579.tif 000003
【図２】
0003189579.tif 000004
【図３】
0003189579.tif 000005
【図４】
0003189579.tif 000006
【図５】
0003189579.tif 000007